(57)【要約】  ナビゲーション装置を介してユーザへと地図情報を提供する方法及び装置が開示される。少なくとも１つの実施形態においてこの方法は、少なくとも１つのアイコンと所望の目的地への経路とを含む地図情報を表示する工程と、経路に関連する可聴情報を生成する工程と、可聴情報が少なくとも１つのアイコンに関連する場合、表示される少なくとも１つのアイコンを変更する工程と、を含む。少なくとも１つの実施形態において、ユーザへと地図情報を提供するナビゲーション装置が開示される。このナビゲーション装置は、少なくとも１つのアイコンと所望の目的地への経路とを含む地図情報を表示する表示装置と、経路に関連する可聴情報を生成する出力装置と、可聴情報が少なくとも１つのアイコンに関連する場合、表示される１つのアイコンを変更するプロセッサと、を備える。
2011524975.tif 000002
【特許請求の範囲】
【請求項１】
ナビゲーション装置を介してユーザへと地図情報を提供する方法であって、
少なくとも１つのアイコンと、所望の目的地への経路とを含む地図情報を表示する工程と、
前記経路に関連する可聴情報を生成する工程と、
前記可聴情報が前記少なくとも１つのアイコンに関連する場合、表示される前記少なくとも１つのアイコンを変更する工程と、
を含むことを特徴とする方法。
【請求項２】
前記少なくとも１つのアイコンを変更する前記工程には、表示される前記少なくとも１つのアイコンを、強調すること、彩色すること、輪郭を引き立たせること、明るさを変えること、及び影を付けることのうちの少なくとも１つを含むことを特徴とする、請求項１に記載の方法。
【請求項３】
前記少なくとも１つのアイコンを変更する前記工程には、表示される前記少なくとも１つのアイコンを点滅させることと大きさを変えることとのうちの少なくとも１つを含むことを特徴とする、請求項１に記載の方法。
【請求項４】
前記少なくとも１つのアイコンを変更する前記工程には、表示される前記少なくとも１つのアイコンをアニメーションさせることを含むことを特徴とする、請求項１に記載の方法。
【請求項５】
前記少なくとも１つのアイコンが、移動の内容と、興味のある点とのうちの少なくとも１つを表すことを特徴とする、請求項１に記載の方法。
【請求項６】
前記少なくとも１つのアイコンが、前記経路に沿った複数のアイコンを含むことを特徴とする、請求項１に記載の方法。
【請求項７】
前記経路に基づいて、前記少なくとも１つのアイコンに関連する可聴情報を生成する工程をさらに含むことを特徴とする、請求項１に記載の方法。
【請求項８】
前記所望の目的地を表す、入力と選択との少なくとも一方を受信する工程をさらに含むことを特徴とする、請求項７に記載の方法。
【請求項９】
前記少なくとも１つのアイコンが三次元表示されることを特徴とする、請求項１に記載の方法。
【請求項１０】
ユーザへと地図情報を提供するナビゲーション装置であって、
少なくとも１つのアイコンと、所望の目的地への経路とを含む地図情報を表示する表示装置と、
前記経路に関連する可聴情報を生成する出力装置と、
前記可聴情報が前記少なくとも１つのアイコンに関連する場合、表示される前記少なくとも１つのアイコンを変更するプロセッサと、
を備えることを特徴とするナビゲーション装置。
【請求項１１】
前記可聴情報が前記少なくとも１つのアイコンに関連する場合、前記少なくとも１つのアイコンを変更するために、前記プロセッサは、前記少なくとも１つのアイコンを、強調すること、影を付けること、彩色すること、明るさを変えること、及び輪郭を引き立たせること、のうちの少なくとも１つをするように前記表示を制御することを含むことを特徴とする、請求項１０に記載のナビゲーション装置。
【請求項１２】
前記少なくとも１つのアイコンが、興味のある点と、移動の内容とのうちの少なくとも１つを表すことを特徴とする、請求項１１に記載のナビゲーション装置。
【請求項１３】
前記少なくとも１つのアイコンが三次元表示されることを特徴とする、請求項１１に記載のナビゲーション装置。
【請求項１４】
前記可聴情報が前記少なくとも１つのアイコンに関連する場合、前記少なくとも１つのアイコンを変更するために、前記プロセッサは、前記少なくとも１つのアイコンを、点滅させること、大きさを変えること、及びアニメーションさせることのうちの少なくとも１つをするように前記表示を制御することを含むことを特徴とする、請求項１０に記載のナビゲーション装置。
【請求項１５】
前記プロセッサは、前記経路に基づいて、前記少なくとも１つのアイコンに関連する可聴情報の生成を制御することを特徴とする、請求項１０に記載のナビゲーション装置。
【請求項１６】
可搬ナビゲーション装置であることを特徴する、請求項１５に記載のナビゲーション装置。
【請求項１７】
乗物へと統合されていることを特徴とする、請求項１０に記載のナビゲーション装置。
【請求項１８】
ユーザへと地図情報を提供するナビゲーション装置であって、
少なくとも１つのアイコンと、所望の目的地への経路とを含む地図情報を表示する手段と、
前記経路に関連する可聴情報を生成する手段と、
前記可聴情報が前記少なくとも１つのアイコンに関連する場合、表示される前記少なくとも１つのアイコンを変更する手段と、
を備えることを特徴とするナビゲーション装置。
【請求項１９】
前記少なくとも１つのアイコンが、前記経路に沿った複数のアイコンを含むことを特徴とする、請求項１８に記載のナビゲーション装置。
【請求項２０】
前記変更する手段は、前記少なくとも１つのアイコンを、強調すること、点滅させること、彩色すること、明るさを変えること、アニメーションさせること、輪郭を引き立たせること、影を付けること、及び大きさを変えることのうちの少なくとも１つによって前記少なくとも１つのアイコンを変更することを特徴とする、請求項１８に記載のナビゲーション装置。
【請求項２１】
前記少なくとも１つのアイコンが、興味のある点と、移動の内容とのうちの少なくとも１つを表すことを特徴とする、請求項２０に記載のナビゲーション装置。
【請求項２２】
前記所望の目的地を示す入力と選択との少なくとも一方を受信する手段をさらに備えることを特徴とする、請求項２１に記載のナビゲーション装置。
【請求項２３】
前記経路に基づいて、前記少なくとも１つのアイコンに関連する可聴情報を生成する手段をさらに備えることを特徴とする、請求項２２に記載のナビゲーション装置。
【請求項２４】
乗物へと統合されていることを特徴とする、請求項１８に記載のナビゲーション装置。
【請求項２５】
可搬ナビゲーション装置であることを特徴とする、請求項１８に記載のナビゲーション装置。
【発明の詳細な説明】
【技術分野】
【０００１】
本願は概して可搬ナビゲーション装置及び方法に関する。
【背景技術】
【０００２】
ナビゲーション装置は、伝統的に乗物での使用の領域で、例えば車、バイク、トラック、ボートなどにおいて用いられてきた。代わりに、もしこのようなナビゲーション装置が可搬であれば、ナビゲーション装置はさらに乗物間で移動可能であり、また乗物の外で、例えば歩行移動のために使用可能であり、あるいはこの双方が可能である。
【０００３】
これらの装置は典型的には、ナビゲーション装置の初期位置と、選択された／入力された移動目的地（終了位置）とに基づいて、移動経路を生成するように作られている。なお、初期位置は装置へと入力され得るが、伝統的にはナビゲーション装置内のＧＰＳ受信機からのＧＰＳ位置決定を介して計算される。経路のナビゲーションにおいて補助するために、地図情報は、ナビゲーション装置のユーザへと、移動経路に沿って視覚的に出力される。
【発明の概要】
【０００４】
本発明者らは、経路に沿ってユーザに指示をする、距離指示を含む可聴情報は、視覚的地図情報と組み合わせてユーザに知覚されることが難しいことを発見した。したがって本発明者らは本明細書において、少なくとも１つの実施形態において、ナビゲーション装置の出力装置から生成された可聴情報に関連する場合に、視覚的地図情報を含むアイコンを変更する、方法、装置、及びコンピュータ読み取り可能な媒体のうちの少なくとも１つを創案した。この方法においてユーザは、経路に沿ってユーザに指示をする視覚情報と可聴情報との組み合わせを受け取る。
【０００５】
本願の少なくとも１つの実施形態において、ナビゲーション装置を介してユーザへと地図情報を提供する方法が開示される。この方法は、少なくとも１つのアイコンと所望の目的地への経路とを含む地図情報を表示する工程と、前記経路に関連する可聴情報を生成する工程と、前記可聴情報が前記少なくとも１つのアイコンに関連する場合、表示される前記少なくとも１つのアイコンを変更する工程と、を含むことを特徴とする。
【０００６】
本願の少なくとも１つの実施形態において、ユーザへと地図情報を提供するナビゲーション装置が開示される。このナビゲーション装置は、少なくとも１つのアイコンと所望の目的地への経路とを含む地図情報を表示する表示装置と、前記経路に関連する可聴情報を生成する出力装置と、前記可聴情報が前記少なくとも１つのアイコンに関連する場合、表示される前記少なくとも１つのアイコンを変更するプロセッサと、を備える。
【０００７】
本願の少なくとも１つの実施形態において、ユーザへと地図情報を提供するナビゲーション装置が開示される。このナビゲーション装置は、少なくとも１つのアイコンと所望の目的地への経路とを含む地図情報を表示する手段と、前記経路に関連する可聴情報を生成する手段と、前記可聴情報が前記少なくとも１つのアイコンに関連する場合、表示される前記少なくとも１つのアイコンを変更する手段と、を備えることを特徴とする。
【０００８】
本発明は、以下の図面の助けをもって説明される実施形態の例を用いて、以下でより詳細に説明される。
【図面の簡単な説明】
【０００９】
【図１】全地球測位システム（ＧＰＳ）の一例を示す図である。
【図２】本願の実施形態のナビゲーション装置の電子構成要素の一例を示すブロック図である。
【図３】本願の一実施形態のサーバ、ナビゲーション装置、及びそれらの間の接続の一例を示すブロック図である。
【図４Ａ】、
【図４Ｂ】図２のナビゲーション装置の一実施形態の一実施例の、斜視図である。
【図５】本願に従って変更された建物を含む表示例を説明する。
【図６】強調された建物を含む表示例を説明する。
【発明を実施するための形態】
【００１０】
本明細書で用いられる用語は、特定の形態を説明することのみを目的としており、本発明を制限することは意図していない。本明細書で用いられる時、単数形”ａ”、”ａｎ”、及び”ｔｈｅ”は、その文脈が他に明確に示されていない限り、複数形も含むことが意図されている。さらに、「含む（ｉｎｃｌｕｄｅｓ及び／又はｉｎｃｌｕｄｉｎｇ）」という用語は、本明細書で用いられる時には、述べられた特徴、整数、工程、動作、要素又は構成要素の存在を特定するために使われるが、他の１以上の特徴、整数、工程、動作、要素、構成要素、又は以上からなる群の存在又は追加を排除しないことが理解されるだろう。
【００１１】
図面に示される例としての実施形態を説明する際に、明確にする目的のために特定の用語が用いられる。しかしながら、本発明の明細書の開示が選択された特定の用語に限定されることは意図されていない。また、それぞれの特定の要素は同様の方法で動作する全ての技術的均等物を含むことが理解されるだろう。
【００１２】
類似の参照番号がいくつかの図を通して同一の又は対応する部分を示す図面を参照して、以下で本願の例としての実施形態が説明される。類似の番号は、全体を通して類似の要素を示す。本明細書で用いられる時、「及び／又は（ａｎｄ／ｏｒ）」との用語は、１以上の関連して列挙された項目のうちの任意のもの、及び全ての組み合わせを含む。
【００１３】
図１は、本願の実施形態のナビゲーション装置を含むナビゲーション装置により使用可能な全地球測位システム（ＧＰＳ）の一例を示す図である。そのようなシステムは周知であり、種々の目的に使用される。一般に、ＧＰＳは、連続的な位置、速度、時間及びいくつかの例においては方向情報を無数のユーザに対して判定できる衛星無線ナビゲーションシステムである。
【００１４】
以前はＮＡＶＳＴＡＲとして周知であったが、ＧＰＳは極めて正確な軌道で地球と共に動作する複数の衛星を使用する。これらの正確な軌道に基づいて、ＧＰＳ衛星は、それらの場所を任意の数の受信装置に中継できる。
【００１５】
ＧＰＳデータを受信する能力を特別に備える装置がＧＰＳ衛星信号に対する無線周波数の走査を開始する場合、ＧＰＳシステムは実現される。ＧＰＳ衛星から無線信号を受信すると、装置は、複数の異なる従来の方法のうちの１つを用いて、その衛星の正確な場所を判定する。殆どの例において、装置は、少なくとも３つの異なる衛星信号を取得するまで信号の走査を継続する（尚、位置は、通常は２つの信号のみでは判定されないが、他の三角測量技術を使用して２つの信号から判定することもできる）。幾何学的三角測量を実現する場合、受信機は、３つの既知の位置を利用して、衛星に対する自身の２次元位置を判定する。これは、周知の方法で行われる。更に、第４の衛星信号を取得することにより、受信装置は、同一の幾何学計算によって周知の方法でその３次元位置を計算できる。位置及び速度データは、無数のユーザにより連続的にリアルタイムで更新可能である。
【００１６】
図１に示すように、ＧＰＳシステム全体を参照番号１００で示す。複数の衛星１２０は、地球１２４の周囲の軌道上にある。各衛星１２０の軌道は、他の衛星１２０の軌道と必ずしも同期せず、実際には非同期であることが多い。本願の一実施形態のナビゲーション装置において利用可能なＧＰＳ受信機１４０は、種々の衛星１２０からスペクトル拡散ＧＰＳ衛星信号１６０を受信するように示される。
【００１７】
各衛星１２０から連続的に送信されるスペクトル拡散信号１６０は、極めて正確な原子時計を用いて達成される非常に正確な周波数標準を利用する。各衛星１２０は、そのデータ信号送信１６０の一部として、その特定の衛星１２０を示すデータストリームを送信する。一般に、ＧＰＳ受信機１４０が三角測量によりその２次元位置を計算するために、ＧＰＳ受信機１４０は少なくとも３つの衛星１２０からスペクトル拡散ＧＰＳ衛星信号１６０を取得することが当業者には理解される。更なる信号を取得すると、全部で４つの衛星１２０から信号１６０を取得する結果となり、これによってＧＰＳ受信機１４０は、その３次元位置を周知の方法で計算できる。
【００１８】
図２は、本願の一実施形態のナビゲーション装置２００の電子構成要素の一例を、ブロック構成要素の形式で示すブロック図である。尚、ナビゲーション装置２００のブロック図は、ナビゲーション装置の全ての構成要素を含むものではなく、構成要素の多くの例を代表するにすぎない。
【００１９】
ナビゲーション装置２００は、筐体（不図示）内に位置付けられる。筐体は、入力装置２２０及び表示画面２４０に接続されるプロセッサ２１０を含む。入力装置２２０は、キーボード装置、音声入力装置、タッチパネル、及び情報を入力するために利用される他の任意の周知の入力装置のうちの少なくとも１つを含むことができ、表示画面２４０は、例えばＬＣＤディスプレイ等の任意の種類の表示画面を含むことができる。本願の少なくとも１つの実施形態において、入力装置２２０及び表示画面２４０は、タッチパッド又はタッチスクリーン入力を含む一体型入力表示装置に一体化され、その場合、ユーザは、複数の表示選択肢のうちの１つを選択するか又は複数の仮想ボタンのうちの１つを操作するために、表示画面２４０の一部分に接触するだけでよい。
【００２０】
更に、他の種類の出力装置２５０は可聴出力装置を含むことができるが、これに限定されない。出力装置２５０がナビゲーション装置２００のユーザに対して可聴情報を生成できるため、同様に、入力装置２４０は入力音声コマンドを受信するマイク及びソフトウェアを更に含むことができると理解される。
【００２１】
ナビゲーション装置２００において、プロセッサ２１０は、接続２２５を介して入力装置２４０に動作可能に接続され且つ入力装置２４０から入力情報を受信するように設定される。また、プロセッサ２１０は、情報を出力するために、表示画面２４０及び出力装置２５０のうちの少なくとも一方に出力接続２４５を介して動作可能に接続される。更に、プロセッサ２１０は、接続２３５を介してメモリ２３０に動作可能に接続され、接続２７５を介して入出力（Ｉ／Ｏ）ポート２７０との間で情報を送受信するように更に構成される。この場合、Ｉ／Ｏポート２７０は、ナビゲーション装置２００の外部のＩ／Ｏ装置２８０に接続可能である。外部Ｉ／Ｏ装置２７０は、例えばイヤホン等の外部聴音装置を含んでもよいが、これに限定されない。更に、Ｉ／Ｏ装置２８０への接続は、例えばハンズフリー動作と音声起動動作との少なくとも一方のため、イヤホン又はヘッドフォンへの接続のため、並びに／あるいは例えば移動電話への接続のためのカーステレオユニット等の他の任意の外部装置への有線接続又は無線接続であってもよい。この場合、移動電話接続は、例えばナビゲーション装置２００とインターネット又は他の任意のネットワークとの間のデータ接続を確立するためと、例えばインターネット又は他の任意のネットワークを介するサーバへの接続を確立するためとの少なくとも一方のために使用されてもよい。
【００２２】
ナビゲーション装置２００は、少なくとも１つの実施形態において、デジタル接続（例えば、周知のＢｌｕｅｔｏｏｔｈ技術を介するデジタル接続）を確立する移動装置４００（移動電話、ＰＤＡ、及び移動電話技術を用いる任意の装置のうちの少なくとも１つ等）を介して、サーバ３０２との「モバイル」ネットワーク接続を確立してもよい。そうして、そのネットワークサービスプロバイダを介して、移動装置４００は、サーバ３０２とのネットワーク接続を（例えば、インターネットを介して）確立できる。そのため、「モバイル」ネットワーク接続は、情報に対する「リアルタイム」又は少なくとも非常に「最新」のゲートウェイを提供するために、ナビゲーション装置２００（単体時、及び車載走行時の少なくとも一方において移動可能であり且つ多くの場合移動している）とサーバ３０２との間に確立される。
【００２３】
例えばインターネット４１０を使用して、移動装置４００（サービスプロバイダを介する）とサーバ３０２等の別の装置との間にネットワーク接続を確立することは、周知の方法で行われうる。これは、例えばＴＣＰ／ＩＰ層プロトコルの使用を含む。移動装置４００は、ＣＤＭＡ、ＧＳＭ、ＷＡＮ等の任意の数の通信規格を利用できる。
【００２４】
そのため、例えば移動電話又はナビゲーション装置２００内の移動電話技術を介するデータ接続を介して達成されるインターネット接続が利用されてもよい。この接続の場合、サーバ３０２とナビゲーション装置２００との間のインターネット接続が確立される。これは、例えば、移動電話又は他の移動装置及びＧＰＲＳ（汎用パケット無線サービス）接続（ＧＰＲＳ接続は、通信会社により提供される移動装置用高速データ接続であり、ＧＰＲＳはインターネットへの接続方法である）を介して行われうる。
【００２５】
更に、ナビゲーション装置２００は、移動装置４００とのデータ接続を完成し、例えば既存のＢｌｕｅｔｏｏｔｈ技術を介して周知の方法でインターネット４１０及びサーバ３０２とのデータ接続を最終的に完成する。この場合、例えばデータプロトコルは、ＧＳＭ規格に対するデータプロトコル規格であるＧＳＲＭ等の任意の数の規格を利用できる。
【００２６】
ナビゲーション装置２００は、ナビゲーション装置２００自身の中に、自身の移動電話技術を含んでもよい（例えばアンテナを含み、この場合ナビゲーション装置２００の内部アンテナがさらに代わりに用いられてもよい）。ナビゲーション装置２００内の移動電話技術は、上述のような内部構成要素を含むことができ、且つ／又は例えば必要な移動電話技術とアンテナとの少なくとも一方を備える挿入可能なカードを含むことができる。そのため、ナビゲーション装置２００内の移動電話技術は、任意の移動装置４００の方法と同様の方法で、例えばインターネット４１０を介して、ナビゲーション装置２００とサーバ３０２との間にネットワーク接続を同様に確立できる。
【００２７】
ＧＲＰＳ電話設定の場合、移動電話の機種、製造業者等の多様な範囲に関して正しく動作するために、Ｂｌｕｅｔｏｏｔｈ対応の装置が使用されてもよく、機種／製造業者専用設定は、例えばナビゲーション装置２００に格納されてもよい。以前の又は後に続く任意の実施形態において議論される方法によって、この情報のために格納されたデータは更新されうる。
【００２８】
図２は、接続２５５を介するプロセッサ２１０とアンテナ／受信機２５０との間の動作可能な接続を更に示す。この場合、アンテナ／受信機２５０は、例えばＧＰＳアンテナ／受信機であってもよい。参照番号２５０で示されるアンテナ及び受信機は、図示のために概略的に組み合わされるが、アンテナ及び受信機は、別個に位置する構成要素であってもよく、アンテナは、例えばＧＰＳパッチアンテナ又はヘリカルアンテナであってもよいことが理解されるだろう。
【００２９】
更に、図２に示す電子構成要素が従来の方法で電源（不図示）により電力を供給されることが当業者には理解されるだろう。当業者により理解されるように、図２に示す構成要素の異なる構成が本願の範囲内で考えられる。例えば、１つの実施形態において、図２に示す構成要素は、有線接続と無線接続との少なくとも一方等を介して互いに通信状態にあってもよい。従って、本願のナビゲーション装置２００の範囲は、ポータブル又はハンドヘルドナビゲーション装置２００を含む。
【００３０】
更に、図２のポータブル又はハンドヘルドナビゲーション装置２００は、例えば自動車又は船舶等の電動車両に周知の方法で接続されるか又は「ドッキング」される。その場合、そのようなナビゲーション装置２００は、ポータブル又はハンドヘルドナビゲーションとして使用するために、ドッキング場所から取り外し可能である。
【００３１】
図３は、本願の一実施形態の汎用通信チャネル３１８を介する、本願のサーバ３０２及びナビゲーション装置２００の一例を示すブロック図である。通信チャネル３１８を介する接続が本発明のサーバ３０２とナビゲーション装置２００との間に確立される場合、本願のサーバ３０２及びナビゲーション装置２００は通信可能である（尚、そのような接続は、移動装置を介するデータ接続、インターネットを介するパーソナルコンピュータを介する直接接続等である）。
【００３２】
サーバ３０２は、図示しない他の構成要素に加えて、メモリ３０６に動作可能に接続され且つ有線又は無線接続３１４を介して大容量データ記憶装置３１２に動作可能に更に接続されるプロセッサ３０４を含む。更に、プロセッサ３０４は、通信チャネル３１８を介してナビゲーション装置２００と情報の送受信を行うために、送信機３０８及び受信機３１０に動作可能に接続される。送受信される信号は、データ信号、通信信号及び又は他の伝搬信号を含んでもよい。送信機３０８及び受信機３１０は、ナビゲーション装置２００の通信設計において使用される通信条件及び通信技術に従って選択又は設計されてもよい。尚、送信機３０８及び受信機３１０の機能は、信号送受信機に組み合わされてもよい。
【００３３】
サーバ３０２は、大容量記憶装置３１２に更に接続される（又は、大容量記憶装置３１２を含む）。尚、大容量記憶装置３１２は、通信リンク３１４を介してサーバ３０２に結合されてもよい。大容量記憶装置３１２は、ナビゲーションデータ及び地図情報のストアを含む。また、大容量記憶装置３１２は、サーバ３０２とは別個の装置であってもよく、サーバ３０２に組み込まれてもよい。
【００３４】
ナビゲーション装置２００は、通信チャネル３１８を介してサーバ３０２と通信するように構成され、図２に関して上述したように、プロセッサ、メモリ等を含み、更に、通信チャネル３１８を介して信号及び／又はデータを送出する送信機３２０及び受信する受信機３２２を含む。尚、これらの装置は、サーバ３０２以外の装置と通信するためにも使用される。更に、送信機３２０及び受信機３２２は、ナビゲーション装置２００の通信設計において使用される通信条件及び通信技術に従って選択又は設計され、送信機３２０及び受信機３２２の機能は、単一の送受信機に組み合わされてもよい。
【００３５】
サーバメモリ３０６に格納されるソフトウェアは、プロセッサ３０４に命令を提供し、サーバ３０２がナビゲーション装置２００にサービスを提供できるようにする。サーバ３０２により提供される１つのサービスは、ナビゲーション装置２００からの要求の処理及び大容量データ記憶装置３１２からナビゲーション装置２００へのナビゲーションデータの送信を含む。本願の少なくとも１つの実施形態に従って、サーバ３０２により提供される別のサービスは、所望のアプリケーションに対する種々のアルゴリズムを使用したナビゲーションデータの処理及びナビゲーション装置２００へのこれらの計算の結果の送出を含む。
【００３６】
一般に、通信チャネル３１８は、ナビゲーション装置２００とサーバ３０２とを接続する伝搬媒体又はパスを表す。本願の少なくとも１つの実施形態に従って、サーバ３０２及びナビゲーション装置２００の双方は、通信チャネルを介してデータを送信する送信機及び通信チャネルを介して送信されたデータを受信する受信機を含む。
【００３７】
通信チャネル３１８は、特定の通信技術に限定されない。更に、通信チャネル３１８は、単一の通信技術に限定されない。すなわち、チャネル３１８は、種々の技術を使用する複数の通信リンクを含んでもよい。例えば、少なくとも１つの実施形態に従って、通信チャネル３１８は、電気通信、光通信、及び電磁通信のうちの少なくとも１つ等のためのパスを提供するように構成されることができる。そのため、通信チャネル３１８は、電気回路、ワイヤ及び同軸ケーブル等の電気導体、光ファイバケーブル、コンバータ、無線周波数（ｒｆ）波、大気、空間等のうちの１つ又はそれらの組み合わせを含むが、それらに限定されない。更に、少なくとも１つの様々な実施形態に従えば、通信チャネル３１８は例えば、ルータ、リピータ、バッファ、送信機及び受信機等の中間装置を含むことができる。
【００３８】
本願の少なくとも１つの実施形態に従うと、例えば通信チャネル３１８は、電話及びコンピュータネットワークを含む。更に、少なくとも１つの実施形態に従うと、通信チャネル３１８は、無線周波数、マイクロ波周波数、赤外線通信等の無線通信に適応できてもよい。更に、少なくとも１つの実施形態に従うと、通信チャネル３１８は衛星通信に適応できる。
【００３９】
通信チャネル３１８を介して送信される通信信号は、所定の通信技術に必要とされるか又は望まれる信号を含むが、それらに限定されない。例えば、信号は、時分割多元接続（ＴＤＭＡ）、周波数分割多元接続（ＦＤＭＡ）、符号分割多元接続（ＣＤＭＡ）、グローバル・システム・フォー・モバイル・コミュニケーションズ(Global System for Mobile Communications)（ＧＳＭ）等のセルラ通信技術において使用されるように構成されてもよい。デジタル信号及びアナログ信号の双方が通信チャネル３１８を介して送信できる。本願の少なくとも１つの実施形態に従うと、これらの信号は、通信技術にとって望ましい変調信号、暗号化信号、及び圧縮信号のうちの少なくとも１つであってもよい。
【００４０】
大容量データ記憶装置３１２は、所望のナビゲーション・アプリケーションのための十分なメモリを含む。大容量データ記憶装置３１２の典型例は、例えばハードドライブのような磁気データ記憶媒体、例えばＣＤ−Ｒｏｍのような光学記憶媒体、例えばフラッシュメモリのような電荷データ記憶媒体、分子メモリ等を含んでもよい。
【００４１】
本願の少なくとも１つの実施形態に従うと、サーバ３０２は、無線チャネルを介してナビゲーション装置２００によりアクセス可能なリモートサーバを含む。本願の少なくとも１つの他の実施形態に従うと、サーバ３０２は、ローカルエリアネットワーク（ＬＡＮ）、ワイドエリアネットワーク（ＷＡＮ）、仮想プライベートネットワーク（ＶＰＮ）等に位置するネットワークサーバを含んでもよい。
【００４２】
本願の少なくとも１つの実施形態に従うと、サーバ３０２は、デスクトップ又はラップトップコンピュータ等のパーソナルコンピュータを含んでもよく、通信チャネル３１８は、パーソナルコンピュータとナビゲーション装置２００との間に接続されるケーブルであってもよい。あるいは、パーソナルコンピュータは、ナビゲーション装置２００とサーバ３０２との間に接続されて、サーバ３０２とナビゲーション装置２００との間にインターネット接続を確立してもよい。あるいは、インターネットを介してナビゲーション装置２００をサーバ３０２に接続するために、移動電話又は他のハンドヘルド装置がインターネットへの無線接続を確立してもよい。
【００４３】
ナビゲーション装置２００は、情報ダウンロードを介してサーバ３０２から情報を与えられてもよい。情報は、ユーザがナビゲーション装置２００をサーバ３０２に接続する場合に周期的に更新されてもよく、且つ／又は例えば無線移動接続装置及びＴＣＰ／ＩＰ接続を介してサーバ３０２とナビゲーション装置２００との間に接続がより継続して又は頻繁に確立される場合に更に動的に更新されてもよい。多くの動的計算のために、サーバ３０２内のプロセッサ３０４が大量の処理要求を処理するために使用されてもよい。しかし、ナビゲーション装置２００のプロセッサ２１０も同様に、多くの場合においてはサーバ３０２への接続に関係なく、多くの処理及び計算を処理できる。
【００４４】
サーバ３０２に接続された大容量記憶装置３１２は、ナビゲーション装置２００自身上で管理されることが可能なものよりもより多くの、地図などを含む、地図製作的なデータ及び経路データのボリュームを含むことができる。サーバ３０２は例えば、経路に沿って移動するナビゲーション装置２００の装置の大部分を、処理アルゴリズムのセットを用いて処理しても良い。さらに、メモリ３１２に格納された地図製作データ及び経路データが、もともとはナビゲーション装置２００によって受信された信号（例えばＧＰＳ信号）に基づいて動作することもできる。
【００４５】
本願の図２に示す様に、本願の一実施形態のナビゲーション装置２００はプロセッサ２１０、入力装置２２０、及び表示画面２４０を含む。少なくとも１つの実施形態において、入力装置２２０及び表示画面２４０は、例えばタッチパネルスクリーンを介して情報（直接入力、メニュー選択など）を入力すること及び情報を表示することとの両方を可能にするために、一体型入力表示装置に統合される。このようなスクリーンは、当業者には周知のものであるように、例えばタッチ入力ＬＣＤスクリーンであってもよい。更に、ナビゲーション装置２００は、例えばオーディオ入力／出力装置などの、更なる任意の入力装置２２０と更なる任意の出力装置２４０との少なくとも一方を有しても良い。
【００４６】
図４Ａ及び図４Ｂは、ナビゲーション装置２００の一実施形態の一実施例の斜視図を示している。図４Ａに示すように、ナビゲーション装置２００は、一体型入力表示装置２９０（例えばタッチパネル画面）と図２の他の構成要素（内蔵ＧＰＳ受信機２５０、マイクロプロセッサ２１０、電源、メモリシステム２２０などを含むがこれに限定されない）を含むユニットであっても良い。
【００４７】
ナビゲーション装置２００は、アーム２９２上に備え付けられても良い。このアーム２９２は、大きな吸着カップ２９４を用いて、車両のダッシュボード／窓／等に固定されても良い。このアーム２９２は、ナビゲーション装置２００がドッキング可能なドッキングステーションの一例である。
【００４８】
図４Ｂに示すように、ナビゲーション装置２００は、例えば、アーム２９２に対してナビゲーション装置２９２をスナップ接続することで、ドッキングステーションのアーム２９２にドッキング若しくは接続することができる（これは単なる一例で、他に考え得るドッキングステーションへの接続の代替案は、本願の範疇内である）。図４Ｂにおける矢印で示すように、ナビゲーション装置２００は、アーム２９２上で回転可能である。ナビゲーション装置２００とドッキングステーションとの間の接続を解除するためには、例えば、ナビゲーション装置２００上のボタンを押下すればよい（これは単なる一例で、他に考え得るドッキングステーションからの分離の代替案は、本願の範疇内である）。
【００４９】
本願の少なくとも１つの実施形態において、ナビゲーション装置２００を介してユーザへと地図情報を提供する方法が開示される。この方法は、少なくとも１つのアイコンと所望の目的地への経路とを含む地図情報を表示する工程と、前記経路に関連する可聴情報を生成する工程と、前記可聴情報が前記少なくとも１つのアイコンに関連する場合、表示される前記少なくとも１つのアイコンを変更する工程と、を含むことを特徴とする。
【００５０】
本願の少なくとも１つの実施形態において、ユーザへと地図情報を提供するナビゲーション装置２００が開示される。このナビゲーション装置２００は、少なくとも１つのアイコンと所望の目的地への経路とを含む地図情報を表示する表示装置２４０と、前記経路に関連する可聴情報を生成する出力装置２５０と、前記可聴情報が前記少なくとも１つのアイコンに関連する場合、表示される前記少なくとも１つのアイコンを変更するプロセッサ２１０と、を備える。
【００５１】
本願の少なくとも１つの実施形態において、ユーザへと地図情報を提供するナビゲーション装置２００が開示される。このナビゲーション装置２００は、少なくとも１つのアイコンと所望の目的地への経路とを含む地図情報を表示する手段と、前記経路に関連する可聴情報を生成する手段と、前記可聴情報が前記少なくとも１つのアイコンに関連する場合、表示される前記少なくとも１つのアイコンを変更する手段と、を備えることを特徴とする。
【００５２】
図５〜６は、本願の実施形態例を説明する。
【００５３】
図５に示されるように、可搬ナビゲーション装置２００の表示装置２４０に表示される表示画面例５００が説明される。表示画面例５００は、建物５０２及び経路５０４を含む地図情報を描く。経路５０４は、開始位置（例えばＧＰＳを介して得られた可搬ナビゲーション装置２００の現在位置）と、所望の（例えばユーザによって入力又は選択された）目的地との間である。この地図情報はまた、様々な建物、道路、及び水路を含む。経路５０４に沿ってユーザが進むと、ユーザが経路５０４に沿って進むことを確実にするために、様々な間隔をもって可聴情報が提供されうる。表示画面例５００に示されるように、この経路は建物５０２の後ろでの右折５０６を含む。ユーザが右折５０６に向かって進むと、ユーザに「建物の後で左折」するように指示する可聴情報が、出力デバイス２５０によって生成される。この可聴情報は建物５０２に関連するものであるから、プロセッサ２１０は表示のために建物５０２を変更する。このように、経路５０２に沿って進む際に、ユーザはナビゲーション装置２００から視覚情報と可聴情報との双方を受け取る。
【００５４】
表示画面例５００において、表示のために建物５０２を変更することは、緑線５０８で建物５０２の輪郭を引き立たせることを含む（緑は単なる例としての色であり、それゆえ本発明の実施形態が緑色に限定されるものと考えられるべきではないことに留意する）。建物５０２の正確な表現と、緑色の輪郭５０８とに基づいて、ユーザは表示画面例５００内の建物５０２を、ユーザの実際の視野内の建物と同一視することができるだろう。このようにユーザは、「建物の後で左折」という可聴情報をよりよく理解するために、輪郭を引き立たされた建物５０２によって、可聴情報を実際の建物と関連づけることができる。
【００５５】
本願の他の実施形態においては、この変更には、異なる輪郭の形と異なる色との少なくとも一方を用いることが含まれうるが、これに限定されるわけではないことが、理解されるべきである。例えば建物は、囲み、四角形、円、楕円、など（すなわち、建物の形には関連しないかもしれない規則的な形）によって輪郭を引き立たされてもよい。さらにこの変更は、他の地図情報と予めプログラムされた設定とユーザの好みとのうちの少なくとも１つに応じて、輪郭の太さと色との少なくとも一方を変更すること（その結果、聞き取れるように伝えられる建物又は他のオブジェクトに、他の表示されている建物との区別を生じさせること）を含むが、これには限られない。さらにまた、本願の他の実施形態においてこの変更は、輪郭を異なる形式（例えば、破線、点線の輪郭など）に変更することを含むが、これには限られない。
【００５６】
本願の少なくとも１つの実施形態において、表示のためにアイコンを変更することは、アイコンを強調すること、彩色すること、光らせること、及び影をつけることのうちの少なくとも１つを含むが、これには限られない。図６に示されるように、表示例６００における地図情報は、病院６０２、大通り６０４、及び経路６０６を含む。ユーザが経路６０６に沿って進むにつれて、可聴情報は「大通りに沿って進んで病院を過ぎる」ようにユーザに指示するかもしれない。ナビゲーション装置２００によって可聴情報が生成されると、ナビゲーション装置２００のプロセッサ２１０は次に、例えば図６に示されるように建物６０２を強調することによって、表示される建物６０２を変更するように始動される。プロセッサを始動するか、あるいはプロセッサを指示することは、例えば表示されたアイコンと出力される可聴情報との間の関連又は相関に基づいていてもよい（この関連又は相関は、例えばメモリ２３０に格納／フラグされている、近づいている情報の可聴出力の指示が表示されたアイコンに関連することを認識した際にプロセッサ２１０によって決定される、又はこの双方である）。一度始動されると、病院６０２の強調が次に、プロセッサ２１０によって既知の方法で達成されうる。このように、ユーザは強調された病院６０２と、この病院を過ぎて進むという可聴指示とを関連づけることができる。ユーザが病院６０２を過ぎて進む時に、続く地図情報が病院６０２を含む場合に（続く可聴情報に再び関連しない限り）病院６０２は強調されないように、病院６０２の強調はプロセッサ２０１によって取り除かれうる。
【００５７】
この特定の実施形態において、表示例６００の地図情報に含まれる他の建物と比較して相対的にわずかに明るい色変更によって病院６０２は強調される。このように病院６０２は、表示例６００に含まれる地図情報への変更はほとんどなしに、可聴情報と関連付けられうる。本願の他の実施形態において、ナビゲーション装置に表示される他の地図情報の実装と、予めプログラムされた設定と、ユーザの好みとのうちの少なくとも１つに依存して、強調の程度と色との少なくとも一方は異なっていてもよいことが理解されるべきである。例えば、表示例６００の代わりの実施例において、病院６０２は相対的により暗い色変更によって強調されてもよい。
【００５８】
本願の少なくとも１つの実施形態において、表示されるアイコンの変更は、アイコンをアニメーションさせることを含んでもよい。アイコンをアニメーションさせることは、そのアイコンに関連する可聴情報がナビゲーション装置２００の出力装置２５０から生成される時に、アイコンに動きを加えることを含んでもよい。例えば、お気に入りの場所を示すアイコンが星であってもよく、このアイコンに関連する可聴情報がナビゲーション装置２００の出力装置２５０から生成される時に、この星はそしてアニメーションされてもよい。アイコンをアニメーションさせるようにプロセッサ２１０を始動させる又はあるいは指示することは、例えば出力される可聴情報との関連（例えばメモリ２３０に格納される）に基づいていてもよいが、一度始動されると、病院６０２のアニメーションはプロセッサ２１０によって既知の方法で達成されうる。
【００５９】
この星のアニメーションは、例えばこの星をお気に入りの場所の上で回転させることを含んでもよい。本願の他の実施形態において、特定のアイコンについて適切な、他の形式のアニメーションが含まれてもよいことが理解されるべきである。例えば、旗は「風に揺れる」ように見えるようにアニメーションされてもよい。
【００６０】
本願の少なくとも１つの実施形態において、表示装置２４０に表示される地図情報に含まれるアイコンを変更することは、そのアイコンを表示上で光らせるように変更することと点滅させるように変更することとのうちの少なくとも１つを含んでもよい。例えばプロセッサ２１０は、出口車線に関連する可聴情報がナビゲーション装置２００の出力装置２５０から生成される場合、（既知の方法で）光らせ、点滅させ、又はこの双方をさせるように、この出口車線を示すアイコンの表示を制御してもよい。この光らせることは、この出口車線に、その本来の色に相対的にわずかに明るい又は相対的にわずかに暗い影で、繰り返し色をつけ及び色をつけなくすることを含んでもよい。他の例では、表示されるアイコンを変更することは、アイコンに色をつけるというよりも、アイコンを点滅させることを含んでもよい。
【００６１】
本願の少なくとも１つの実施形態において、アイコンを変更することは、プロセッサ２１０がアイコンをある大きさにすること(sizing)（又は表示されるサイズを変化させること）を含んでもよい。アイコンをある大きさにすることには、ナビゲーション装置２００の出力装置２５０から生成されたアイコンに可聴情報が関連する時に、表示されるアイコンをプロセッサ２１０が（既知の方法で）相対的に大きく又は相対的に小さくすることを含んでもよい。例えば、アイコンに関連する可聴情報と組み合わせて、表示されるランドマークのアイコンはあるパーセント（例えば約１０−２０％）だけプロセッサ２１０によって拡大されてもよい。ランドマークの大きさを増加させることにより、可聴情報に含まれる次の１以上の指示において助けとなるように、ユーザは拡大されたランドマークと可聴情報とを関連づけるかもしれない。他の例においては、ランドマークのさらなる詳細が見えうるように、ランドマークを取り囲む地図情報の大きさが所定のパーセント（例えば約１０−２０％）だけ縮小されてもよい。このように、ランドマークについてのさらなる詳細が表示され、ユーザが現実のランドマークを特定し、このランドマークに関連する可聴情報に含まれる１以上の指示に正しく従う可能性を高くしうる。本願の他の実施形態において、ナビゲーション装置２００に表示される地図情報と、予めプログラムされた設定と、ユーザの好みとのうちの１以上に応じて、異なる割合の大きさにすることが採用されてもよいことが、理解されるべきである。
【００６２】
プロセッサ２１０によって表示のために変更されるアイコンは、地図情報によって表される区域の実際の、移動における内容を含む、任意のオブジェクトを表してもよい。オブジェクトは例えば、移動における内容、興味のある点若しくは視野内の他のオブジェクト、又は可搬ナビゲーション装置２００によって表示される経路に関する情報を含んでもよい。移動の内容は例えば、開始点、現在位置、所望の目的地、経路に沿った任意の点（例えば休憩所）、道路の種類（例えば高速道路、自転車道、など）、道路の部分（例えば出口傾斜路、ロータリー、など）、交通機器（例えば信号機、交通カメラ、標識、など）、橋、トンネル、線路、電車軌道、水の種類（例えば海、海洋、湖、川、運河、水路、など）、又は他の任意のもの、のうちの任意の１以上を含むが、これらには限られない。
【００６３】
興味のある点は、人間が有用又は興味があるものと考えるかもしれない位置、場所、及びイベントのうちの少なくとも１つとして一般的に理解されるかもしれない。例えば興味のある点は、ユーザがよく知るようになるのに十分な、独特の大きさ、形、及び位置のうちの少なくとも１つを含んでもよい、地図情報内の任意のオブジェクトを含んでもよいがこれらには限られない、ランドマークを含んでもよい。ランドマークは個人的なもの（例えば家、友達／家族の家、お気に入りの場所、又はユーザにとって特別の興味がある他のオブジェクト）であってもよいし、一般的なもの（例えば有名な大聖堂）であってもよい。さらに、興味のある点は例えば、役所、山頂、屋外駐車場、ガレージ駐車場、ガソリン／ガススタンド、鉄道駅、休憩所、空港、車の販売業者、カジノ、教会、映画館、町の中心、会社、コンサートホール、裁判所庁舎、カルチャーセンター、展示センター、フェリーターミナル、国境検問所、ゴルフコース、病院／診療所、ホテル、モテル、観光地、峠、博物館、アートギャラリー、オペラハウス、オペラ劇場、礼拝所、郵便局、運送会社、車レンタル施設、レストラン、店、ショッピングモール、ショッピングセンター、スタジアム、スポーツアリーナ、劇場、観光案内所、動物園、スポーツセンター、警察署、消防署、大使館、単科大学又は総合大学、現金引き出し機、浜辺、アイススケートリンク、テニスコート、水上スポーツ、医師、歯科医師、獣医師、夜の歓楽街、遊園地、図書館、車修理／ガレージ、薬局、眺めのよい景色、水泳プール、ワイナリー、蒸留所、キャンプ場、公園と保養地、コンベンションセンター、レジャーセンター、マリーナ、ヨットハーバー、郵便番号、立法府、弁護士、法務官、カウンセラー、などのうちの任意の１つを含んでもよいが、これらには限られない。興味のある点はユーザから受信されてもよいし、ナビゲーション装置２００と関連づけられたメモリに格納される、予めプログラムされるか日常的にプログラムされるかの少なくとも一方であるカタログに含まれていてもよいし、この双方であってもよい。
【００６４】
本願の少なくとも１つの実施形態において、地図情報に含まれるアイコンは三次元表示されてもよい。図５を参照すると、地図情報に含まれる建物５０２は、視野内の実際の建物の三次元表現の例である。三次元建物５０２は、関連する可聴情報に基づいて、緑色の線５０８で輪郭を引き立たされる。本願の少なくとも１つの実施形態において、アイコンは二次元であってもよく、可聴情報がこの二次元アイコンに関連する場合に、その後に変更されてもよいことが理解されるべきである。
【００６５】
本願の少なくとも１つの実施形態において、ナビゲーション装置２００を介してユーザに地図情報を提供する方法は、所望の目的地を表す入力と選択との少なくとも一方を受信する工程を含んでもよい。続けてナビゲーション装置２００は、ナビゲーション装置２００の現在位置と、この所望の目的地との間の経路を、計画又は決定してもよい。本願のいくつかの実施形態において、最短の経路、最速の経路、又はユーザへと提供される経路に影響を与えるかもしれない他の選択肢を選択するように、ユーザはさらに促されてもよい。例えばナビゲーション装置２００は、最短の経路を好むことを示すユーザ入力を受け取ってもよく、ナビゲーション装置２００はナビゲーション装置２００の現在位置と所望の目的地との間の最短の距離を含む経路を表示してもよい。この例において最短の経路は、最速の経路よりもより多くの横通り（相対的に制限速度が低い）を含んでもよく、最速の経路はより多くの高速道路（相対的に制限速度が高い）を含んでもよい。
【００６６】
本願の少なくとも１つの実施形態において、ナビゲーション装置２００を介してユーザに地図情報を提供する方法は、経路に基づいて少なくとも１つのアイコンに関連する可聴情報を生成する工程を含んでもよい。ナビゲーション装置２００が表示装置２４０上に経路を表示する時、ナビゲーション装置２００はまた、ユーザを経路に沿って指示するために、既知の方法で可聴情報を生成してもよい。この可聴情報は、経路に関連するように動的に生成されてもよい。ナビゲーション装置２００が、経路に基づいてアイコンに対する参照を含む可聴情報を生成する場合、互いに関連する／関連付けられたアイコンは、そのアイコン及びそのアイコンに相当する彼／彼女の視野内の物体へとユーザの注意を引くために、上述の少なくとも１つの実施形態の方法によって、プロセッサ２１０によって表示のために変更されてもよい。このように、ユーザはナビゲーション装置２００から視覚情報と可聴情報との双方を受け取る。１つの例においては、プロセッサ２１０は少なくとも１つのアイコンに関連する可聴情報を生成する。本願の他の少なくとも１つの実施形態において可聴情報は、ナビゲーション装置２００によって生成されるというよりもむしろ、ローカルに又はリモートに格納されている予め処理されたデータベースから取得されてもよい。
【００６７】
上記で議論された本願の実施形態は、ナビゲーション装置２００を含み、これは携帯ナビゲーション装置である。しかし、上記で説明した実施形態と方法と装置とは、このようなものにはとどまらない。上記で説明した態様、実施形態、方法、及び装置は更に、車両に統合されているナビゲーション装置にも適用されることができる。このようなナビゲーション装置は、たとえば、車両のダッシュボード又は他の部分に統合されてもよい。そのような車両は、限定はされないが、自動車、トラック、ボート、自動二輪車、などが含まれる。当業者には理解されるように、少なくとも一つの実施形態では、このように車両に統合されているナビゲーション装置は、図５〜６に関して記述されている方法の様々な態様を実行するように使用されてもよい。よって、簡潔にするためにも、さらなる説明は省略する。
【００６８】
さらに前述の方法の何れもが、プログラムの形で実現されることもできる。このプログラムはコンピュータが読み取り可能な媒体上に格納されてもよく、コンピュータ装置（プロセッサを含む装置）上で実行された場合に、前述の方法のうち任意のものを実行するように構成される。従って、記憶媒体又はコンピュータが読み取り可能な媒体は、情報を格納するように構成され、任意の上述の実施形態の方法を実行するため、データ処理機能又はコンピュータ装置と協力するように構成される。
【００６９】
記憶媒体は、コンピュータ装置の本体の中に設置された内蔵媒体であってもよいし、あるいはコンピュータ装置の本体から分離できるように配置された取り外し可能な媒体であってもよい。内蔵媒体の例には例えばＲＯＭやフラッシュメモリのような書き換え可能な不揮発性メモリ及びハードディスクが含まれるが、それらには限定されない。取り外し可能な媒体の例には、例えばＣＤ−ＲＯＭやＤＶＤのような光学記憶媒体と、例えばＭＯのような光磁気記憶媒体と、フロッピー（登録商標）ディスク、カセットテープ、取り外し可能なハードディスクを含むがそれらに限定されない磁気記憶媒体と、メモリカードを含むがそれに限定されない組み込まれた書き換え可能な不揮発性メモリを備える媒体と、ＲＯＭカセットを含むがそれに限定されない組み込まれたＲＯＭを備える媒体と、等が含まれるがそれらには限定されない。さらに、例えば属性情報のような格納された画像に関する各種の情報が、どんな他の形で格納されてもよいし、他の方法で提供されてもよい。
【００７０】
更に、上記の少なくとも１つの実施形態の方法は、プロセッサ（例えば、サーバ３０２のプロセッサ３０４と、ナビゲーション装置２００のプロセッサ２１０との少なくとも一方）によって実行される場合に、プロセッサにそれぞれの方法を実行させる命令の順序を表す、搬送波又は伝搬信号中に実現されるコンピュータデータ信号として実現されてもよい。少なくとも１つの他の実施形態において、上記で提供された少なくとも１つの方法は、例えばプロセッサ又は他のコンピュータ装置によって実行された場合にそれぞれの方法を実行するための、前述のメモリ装置のうちの１つのようなコンピュータが読み取り可能な又はコンピュータがアクセス可能な媒体に含まれる命令のセットとして上記実現されてもよい。変形実施形態において媒体は、磁気媒体、電子媒体、光学媒体等であってもよい。
【００７１】
当業者なら本開示を読めば理解するであろうが、ナビゲーション装置２００の電子構成要素と、サーバ３０２の構成要素との少なくとも一方は、コンピュータハードウェア回路として、コンピュータが読み取り可能なプログラムとして、または両者の組み合わせとして、実現されることができる。
【００７２】
本願の実施形態のシステムおよび方法は、本願の教示に従う少なくとも１つの方法を実行するための、プロセッサ上で動作可能なソフトウェアを含む。当業者なら、ソフトウェアプログラムの中にある機能を実行するためのコンピュータを利用したシステムにおいて、コンピュータが読み取り可能な媒体からソフトウェアプログラムが起動されうるやり方を、本開示を読んで把握すると理解するであろう。当業者であればさらに、本願の方法のうち少なくとも１つを実装して実行するように設計されたソフトウェアプログラムを作成するのに使用されうる各種のプログラミング言語を理解するであろう。
【００７３】
プログラムは、ＪＡＶＡ（登録商標）、Ｓｍａｌｌｔａｌｋ、Ｃ＋＋等を含むがそれらに限定されないオブジェクト指向言語を用いて、オブジェクト指向で構築されてもよいし、プログラムは、ＣＯＢＡＬ、Ｃ等を含むがそれらに限定されない手続き型言語を用いて手続き指向で構築されてもよい。ソフトウェアコンポーネントは、アプリケーション・プログラム・インタフェース（ＡＰＩ）と、レポート・プロシージャ・コール（ＲＰＣ）を含むがこれには限定されないプロセス間通信技術と、コモン・オブジェクト・リクエスト・ブローカ・アーキテクチャ（ＣＯＲＢＡ）と、コンポーネント・オブジェクト・モデル（ＣＯＭ）と、ディストリビューテッド・コンポーネント・オブジェクト・モデル（ＤＣＯＭ）と、ディストリビューテッド・システム・オブジェクト・モデル（ＤＳＯＭ）と、遠隔メソッド呼出し（ＲＭＩ）と、を含むがそれらには限定されない、当業者によく知られているどんな数の方法によってでも通信することができる。しかし、当業者なら本願の開示を読めば理解するであろうが、本願の教示は特定のプログラミング言語又は環境に限定されない。
【００７４】
ナビゲーション装置２００に関して、精度、プロセッサの速さ、及びユーザとの対話の容易さ等を向上させることに関して、上記のシステム、装置、及び方法が、限定することなく一例として説明された。
【００７５】
さらに、本開示および添付の請求の範囲内で、例となる様々な実施形態の要素と機能との少なくとも一方が、相互に組み合わされたり、及び／又は相互に代用されたりしてもよい。
【００７６】
さらに、本願の上述した機能およびその他の例示する機能はいずれも、装置、方法、システム、コンピュータプログラム、及びコンピュータプログラム製品の形で実装されてよい。例えば、上述の方法は、図面に示された方法を行うための任意の構造を含むがそれに限定されないシステム又は装置の形で実装されてもよい。
【００７７】
例となる実施形態がこのように説明されたが、同じものが様々に変形されうることは明らかであろう。そのような変形は、本発明の精神及び範囲からの逸脱とはみなされるべきではなく、当業者には明らかであろうそのような変形はすべて、以下の請求の範囲内に含まれることが意図されている。
【図１】
2011524975.tif 000003
【図２】
2011524975.tif 000004
【図３】
2011524975.tif 000005
【図４Ａ】
2011524975.tif 000006
【図４Ｂ】
2011524975.tif 000007
【図５】
2011524975.tif 000008
【図６】
2011524975.tif 000009
【国際調査報告】
2011524975.tif 000010
2011524975.tif 000011